(57)【特許請求の範囲】
【請求項１】
合成樹脂製荷かご本体の正面部、左右側面部の選択された一外面に方形等形状の反射板収容凹陥部が形成され、該反射板収容凹陥部の開口縁の上縁、左右縁又は下縁の少なくとも一縁に係合部が形成されてその内側に係合ポケットが設けられ、反射板収容凹陥部に嵌合収容される反射板の対応端と係合すると共に、前記荷かご本体の反射板収容凹陥部の前記係合ポケットと対応する一つの反対縁には係合ポケットが形成されないで連通する取付板収容凹陥部が形成され、該取付板収容凹陥部に収容され、かつ荷かご本体にネジ着される取付板に前記反射板の反対端が係合固定されてなる自転車用合成樹脂製荷かごの反射板取付装置において、前記荷かご本体に形成される前記反射板収容凹陥部の開口縁の上縁、左右縁に係合部が形成され、その内側に係合ポケットが形成されて該反射板収容凹陥部に収容される反射板の下縁と前記取付板が係合されることを特徴する自転車用合成樹脂製荷かごにおける反射板取付装置。
【請求項２】
前記取付板収容凹陥部は、荷かご本体の正面部外面と底面部外面とに折曲して形成され、前記取付板は、前部の背面上部が反射板の下端に係合され、該前部と前部の背面に横向き一体に形成される取付部とが前記取付板収容凹陥部に嵌合収容され、取付部がネジにより荷かご本体の底面部に固定されてなる請求項１の自転車用合成樹脂製荷かごの反射板取付装置。
【請求項３】
前記取付板収容凹陥部の底面部外面に形成される取付板収容凹陥部の開口縁の左右側縁と後縁には、左右側縁支板と後縁中間支板が形成されて保持ポケットが設けられ、該保持ポケットに前記取付板の取付部が嵌合収容され、かつ該取付部がネジにより荷かご本体の底面部に固定されてなる請求項２の自転車用合成樹脂製荷かごの反射板取付装置。
【請求項４】
前記取付板収容凹陥部の底面部外面に形成される取付板収容凹陥部の開口縁の左右側縁と後縁には、左右側縁支板と後縁支板が形成されて保持ポケットが設けられ、該保持ポケットに前記取付板の取付部が嵌合収容され、かつ該取付部に係合爪が形成され、該係合爪が荷かご本体の底面部に開口する係合孔に係合されて取付板が固定されてなる請求項２の自転車用合成樹脂製荷かごの反射板取付装置。
【発明の詳細な説明】
【技術分野】
【０００１】
この発明は、自転車用合成樹脂製荷かごの反射板取付装置に関するものである。
【背景技術】
【０００２】
従来、特許文献１には、反射板の裏面に取付手段として、ボルトを具え、座金を内側に、ナットを外側に配して間に荷かごを挟持して取付けるもの、反射板の裏面に係合バンド又は係合爪を配して荷かごに締付け又は係合して取付ける荷かごの反射板取付装置が提案されている。
【０００３】
特許文献２には、荷かごの外面に当てた反射板のボルトの軸部を荷かごの外面より内方に貫通し、このボルトの軸部の先端を荷かごの内面に当てた取付プレートのネジ孔に螺合し、反射板を荷かごに取付ける荷かごの反射板取付装置が提案されている。
【０００４】
特許文献３には、荷かごに凹部が設けられるかご側固定部が形成され、このかご側固定部の凹部に嵌合し、水平軸を中心に回動が可能に支承され、その任意の位置でかご側固定部にボルトとナットにより固定が可能な反射板保持部が設けられ、この反射板保持部は、側方が開口して対応する一対の取付溝に反射板の上下縁が嵌合されて具備されると共に、かご側固定部に嵌合された時に側方の開口がかご側固定部の凹部の左右内側壁により閉鎖されてなる自転車前かごリフレクター装置が提案されている。
【０００５】
【特許文献１】実開昭６３−２５６８８号公報
【特許文献２】特開２００４−１６１０４７号公報
【特許文献３】特開２００６−７９３９号公報
【発明の開示】
【発明が解決しようとする課題】
【０００６】
前記特許文献１に開示される荷かごの反射板取付装置には、反射板の裏面に取付手段であるボルト、締付けバンド、係合爪等を設けなければならない点で、構造的に複雑であり、また、取り付けに手数がかかるものである。
【０００７】
また、前記特許文献２に開示される荷かごの反射板取付装置には、荷かごの内面にプレートを配する点でデザイン性に欠けるものである。また、取付位置によってはプレートを配備するスペースを確保できない場合がある。
【０００８】
また、前記特許文献３には、反射板の反射面の角度を、水平軸を中心にして調節ができるようにした点で画期的効果を奏するものであるが、固定手段はボルトとナットによるものであるから、メンテナンスを適切に行わないと、緩みが生じて反射板の角度が変るおそれがある。また、かごの内壁面に固定用のナットが突出し収容物と衝突するばかりでなく、スマートさに欠けるものである。
【０００９】
本発明の自転車用合成樹脂製荷かごの反射板取付装置は、前記従来のこの種の反射板取付装置を前提に素材の合成樹脂の特質を活かし、構造簡単、組立容易、堅牢で耐久性に富み、生産性に優れて低コストで高度の反射性能をもつ反射板を具備する自転車用荷かごを提供することを目的に案出されたものである。
【課題を解決するための手段】
【００１０】
合成樹脂製荷かご本体の正面部、左右側面部の選択された一外面に方形等形状の反射板収容凹陥部が形成され、該反射板収容凹陥部の開口縁の上縁、左右縁又は下縁の少なくとも一縁に係合部が形成されてその内側に係合ポケットが設けられ、反射板収容凹陥部に嵌合収容される反射板の対応端と係合すると共に、前記荷かご本体の反射板収容凹陥部の前記係合ポケットと対応する一つの反対縁には係合ポケットが形成されないで連通する取付板収容凹陥部が形成され、該取付板収容凹陥部に収容され、かつ荷かご本体にネジ着される取付板に前記反射板の反対端が係合固定されてなる自転車用合成樹脂製荷かごの反射板取付装置において、前記荷かご本体に形成される前記反射板収容凹陥部の開口縁の上縁、左右縁に係合部が形成されてその内側に係合ポケットが形成され、該反射板収容凹陥部に収容される反射板の下縁と前記取付板が係合されてなる自転車用合成樹脂製荷かごの反射板取付装置にある。
【００１１】
前記取付板収容凹陥部は、荷かご本体の正面部外面と底面部外面とに折曲して形成され、前記取付板は、前部の背面上部が反射板の下端に係合され、該前部と前部の背面に横向き一体に形成される取付部とが前記取付板収容凹陥部に嵌合収容され、取付部がネジにより荷かご本体の底面部に固定されてもよいものである。
【００１２】
前記取付板収容凹陥部の底面部外面に形成される取付板収容凹陥部の開口縁の左右側縁と後縁には、左右側縁支板と後縁中間支板が形成されて保持ポケットが設けられ、該保持ポケットに前記取付板の取付部が嵌合収容され、かつ該取付部がネジにより荷かご本体の底面部に固定されてもよいものである。
【００１３】
前記取付板収容凹陥部の底面部外面に形成される取付板収容凹陥部の開口縁の左右側縁と後縁には、左右側縁支板と後縁支板が形成されて保持ポケットが設けられ、該保持ポケットに前記取付板の取付部が嵌合収容され、かつ該取付部に係合爪が形成され、該係合爪が荷かご本体の底面部に開口する係合孔に係合されて取付板が固定されてもよいものである。
【発明の効果】
【００１４】
本発明の自転車用合成樹脂製荷かごの反射板取付装置は、取付部の構成を、荷かご本体の射出成形時に構成して構成部品数を減少し、反射板の固定工程をネジ止め又は係合により簡易化し、生産コストの低減と耐久化を図るものである。
【発明を実施するための最良の形態】
【００１５】
合成樹脂製荷かご本体の正面部の外面に方形形状の反射板収容凹陥部が形成され、該反射板収容凹陥部の開口縁の上縁、左右縁に係合部が形成されてその内側に係合ポケットが設けられ、反射板収容凹陥部に収容される反射板の対応端が係合され、前記荷かご本体の反射板収容凹陥部の下縁に連通し、荷かご本体の正面部の外面と底面部外面とに取付板収容凹陥部が折曲して形成されると共に荷かご本体の底面部の外面に形成される前記取付板収容凹陥部の開口縁の左右側開口縁と後端開口縁に形成される左右側縁支板部と後端中間支板部により保持ポケットが設けられ、該保持ポケットに前記取付板の取付部が嵌合収容され、かつ該取付部はネジにより荷かご本体の底面部に固定されてなる自転車用合成樹脂製荷かごの反射板取付装置において、前記荷かご本体に形成される前記反射板収容凹陥部の開口縁の上縁、左右縁に係合部が形成されてその内側に係合ポケットが形成され、該反射板収容凹陥部に収容される反射板の下縁と前記取付板が係合されてなる自転車用合成樹脂製荷かごの反射板取付装置。
【実施例】
【００１６】
以下、本発明の自転車用合成樹脂製荷かごの反射板取付装置について説明する。図１〜図３は、第１実施例の自転車用合成樹脂製荷かご１に第１の反射板取付装置２により反射板３を配備するものである。自転車用合成樹脂製荷かご１は、合成樹脂を金型に射出して成形される合成樹脂荷かご本体（以下荷かご本体という）１ａより構成される。
【００１７】
前記反射板３は、図２及び図３に示すように、横長の方形板であって、背面には図示しないが、反射面が形成され、正面から入射する光を反射して正面より外方へ再び出光させる合成樹脂製の一般的反射板が使用される。
【００１８】
前記荷かご本体１ａは、その成形工程で、正面部１ａ１の下部外面１ａ１１の左右に離隔し、前記反射板３に適合する反射板収容凹陥部４が形成され、該反射板収容凹陥部４の開口縁４ａの上縁には上縁係合部４ａ１が形成され、その内側が上縁係合ポケット５に形成され、反射板収容凹陥部４に嵌合収容される反射板３の上縁３ａが上縁係合ポケット５に係合され、反射板収容凹陥部４からの外止となる。
【００１９】
前記荷かご本体１ａの成形工程で、前記反射板収容凹陥部４の開口縁４ａの下縁は形成されないで、取付板収容凹陥部６が連通されて形成され、該取付板収容凹陥部６に嵌合収容される取付板７の係合部７ａが前記反射板３の下縁３ｂに係合され、かつ、取付板７が荷かご本体１ａにネジ８により固着されて反射板３が荷かご本体１ａに固定される。
【００２０】
前記第１の反射板取付装置２は、荷かご本体１ａの左右側面部に配備してもよいものである。また、反射板収容凹陥部４の開口縁４ａには、上縁に限らず左縁及び右縁の一縁に係合部が形成されるものでもよいものである。
【００２１】
図４〜図６は、第２実施例の反射板取付装置９を示すものであって、前記第１実施例の反射板取付装置２において、反射板収容凹陥部４の下縁に連通されて形成される取付板収容凹陥部１０が荷かご本体１ａの底面部１ａ２の外面部１ａ２１まで延長されて開口される断面Ｌ字形に形成されるものであり、取付板１１は上部背面が係合部１１ａに形成されて第１実施例と同様に反射板３の上縁３ａに係合され、下部背面の後方へ延長される取付部１１ｂが取付板収容凹陥部１０に嵌合収容され、かつ、取付部１１ｂがネジ８により荷かご本体１ａに固着されて反射板３が荷かご本体１ａに固定される。
【００２２】
次に、第３実施例の自転車用合成樹脂製荷かご１２に第３実施例の反射板取付装置１３を配備したものについて説明すると、自転車用合成樹脂製荷かご１２は、第１実施例の自転車用合成樹脂製荷かご１と同様に合成樹脂を金型に射出して成形される合成樹脂荷かご本体（以下荷かご本体という）１２ａより構成される。
【００２３】
第３実施例で示す反射板１４は、図８に示すように、横長方形板形であり、その上辺取付縁１４ａ、下辺取付縁１４ｂ、左辺取付縁１４ｃ及び右辺取付縁１４ｄは、反射面１４ｅより一段と低い取付け縁に形成されている。
【００２４】
前記第３実施例の反射板取付装置１３は、荷かご本体１２ａの正面部１２ａ１の下部外面１２ａ１１の左側に取付けた反射板１４について、その部分を拡大した図面の図８〜図１３により説明すると、荷かご本体１２ａを、第１実施例と同様に、合成樹脂材を用いて金型に射出成形するとき、該荷かご本体１２ａの正面部１２ａ１の下部外面１２ａ１１に、その正面側の開口縁の上縁と左右縁が夫々上縁係合部１５ａ、左縁係合部１５ｂ及び右縁係合部１５ｃに形成され、夫々の内側が上縁係合ポケット１６ａ、左縁係合ポケット１６ｂ及び右縁係合ポケット１６ｃに形成されて備える反射板収容凹陥部１５が、上下の金型の抜き方向に合わせて縦方向に形成される。該反射板収容凹陥部１５に下方から前記反射板１４の下辺取付縁１４ｂが下方に突出された状態で嵌合収容される。
【００２５】
前記反射板収容凹陥部１５の下縁に連通され、荷かご本体１２ａの正面部１２ａ１の下部外面１２ａ１１及びの底面部１２ａ２の外面部１２ａ２１に断面がＬ字形の取付板収容凹陥部１７が、その底面部１２ａ２の外面部１２ａ２１の開口縁１７ａの左側開口縁１７ａ１と右側開口縁１７ａ２と後端開口縁１７ａ３に、夫々左側縁支板部１８ａと右側縁支板部１８ｂと後端中間支板部１８ｃが、荷かご本体１２ａが樹脂により射出成形されるとき、荷かご本体１２ａと一体に形成され、夫々の内側が横向きの保持ポケット１９に形成される。
【００２６】
取付板２０は、その前部２０ａが前記取付板収容凹陥部１７に嵌合収容され、背面上部に形成される前縁係合部２０ｂが前記反射板１４の下辺取付縁１４ｂに係合され、前部２０ａの背面下部から後方に延長形成される取付部２０ｃは、荷かご本体１２ａの底面部１２ａ２の外面部１２ａ２１に形成される前記取付板収容凹陥部１７の前記保持ポケット１９に嵌挿収容され、取付部２０ｃがネジ８により固着され、反射板１４が固定される。
【００２７】
前記取付板２０と荷かご本体１２ａの固着手段は、前記ネジ着に限らず、例えば、図１７に示すように取付板２０の取付部２０ｃに係合爪２１を設け、これを荷かご本体１２ａの底面部１２ａ２の外面部１２ａ２１に後縁中間支板部１８ｃが形成されるときに形成された底面部開口縁２２に係合してもよいものである。
【００２８】
前述のように構成されるから、荷かご本体１２ａを、合成樹脂材を金型に射出成形するときに、反射板１４の上辺取付縁１４ａ、左辺取付縁３ｃ及び右辺取付縁３ｄを係合する上縁係合ポケット１６ａ、左縁係合ポケット１６ｂ及び右縁係合ポケット１６ｃを備える反射板収容凹陥部１５を形成し、また、取付板２０を嵌合収容する取付板収容凹陥部１７を、保持ポケット１９を荷かご本体１２ａの底面部１２ａ２の外面部１２ａ２１備えて形成することができ、取付板２０の前縁係合部２０ｂを前記反射板１４の下辺取付縁係１４ｂに係合し、取付板２０を荷かご本体１ａに螺合するネジ８又は係合する係合爪２１により固定し反射板１４を固着してなるものである。
【産業上の利用可能性】
【００２９】
本発明の自転車用合成樹脂製荷かごの反射板取付装置は、取付部品数を減少し、反射板の固定工程の簡易化により生産コストの低減と耐久化を図り、走行の安全が期待できる反射板付き自転車用荷かごの普及に寄与する。
【図面の簡単な説明】
【００３０】
【図１】本発明の第１実施例の反射板取付装置を配備した自転車用合成樹脂製荷かごの全体正面図である。
【図２】第１実施例の反射板取付装置を配備した自転車用合成樹脂製荷かごの拡大部分正面図である。
【図３】図２のＡ−Ａ線に沿う断面図である。
【図４】本発明の第２実施例の反射板取付装置を配備した自転車用合成樹脂製荷かごの拡大部分正面図である。
【図５】同じく、第２実施例の反射板取付装置を配備した自転車用合成樹脂製荷かごの拡大部分底面図である。
【図６】図４のＢ−Ｂ線に沿う断面図である。
【図７】本発明の第３実施例の反射板取付装置を配備した自転車用合成樹脂製荷かごの全体正面図である。
【図８】同じく、第３実施例の反射板取付装置を配備した自転車用合成樹脂製荷かごの拡大部分正面図である。
【図９】図８のＣ−Ｃ線に沿う断面図である。
【図１０】同じく、第３実施例の反射板取付装置を配備した自転車用合成樹脂製荷かごの拡大部分底面図である。
【図１１】第３実施例の反射板及び取付板を外した状態の自転車用合成樹脂製荷かご単体の取付部を示す拡大部分正面図である。
【図１２】同じく、第２実施例の反射板及び取付板を外した状態の自転車用合成樹脂製荷かご単体の取付部を示す拡大部分底面図である。
【図１３】同じく、第３実施例の反射板及び取付板を外した状態の自転車用合成樹脂製荷かご単体の取付部を示す拡大部分平面図である。
【図１４】第３実施例の反射板単体の斜視図である。
【図１５】第３実施例の取付板単体の前面側から見た斜視図である。
【図１６】同じく、第３実施例の取付板単体の後面側から見た斜視図である。
【図１７】第３実施例の取付板に荷かご本体との固着手段として、係合爪を設ける実施例を示す斜視図である。
【図１８】同じく、第３実施例の荷かご本体の底部の開口縁と係合爪の係合状態を示す断面である。
【符号の説明】
【００３１】
１  第１実施例の自転車用合成樹脂製荷かご
１ａ  荷かご本体
１ａ１  正面部
１ａ１１  下部外面
１ａ２  底面部
１ａ２１  外面部
２  第１の反射板取付装置
３  反射板
３ａ  上縁
３ｂ  下縁
４  反射板収容凹陥部
４ａ  開口縁
４ａ１  上縁係合部
５  上縁係合ポケット
６  取付板収容凹陥部
７  取付板
７ａ  係合部
８  ネジ
９  第２実施例の反射板取付装置
１０  取付板収容凹陥部
１１  取付板
１１ａ  係合部
１１ｂ  取付部
１２  第３実施例の自転車用合成樹脂製荷かご
１２ａ  荷かご本体
１２ａ１  正面部
１２ａ１１  下部外面
１２ａ２  底面部
１２ａ２１  外面部
１３  第３実施例の反射板取付装置
１４  反射板
１４ａ  上辺取付縁
１４ｂ  下辺取付縁
１４ｃ  左辺取付縁
１４ｄ  右辺取付縁
１４ｅ  反射面
１５  反射板収容凹陥部
１５ａ  上縁係合部
１５ｂ  左縁係合部
１５ｃ  右縁係合部
１６ａ  上縁係合ポケット
１６ｂ  左縁係合ポケット
１６ｃ  右縁係合ポケット
１７  取付板収容凹陥部
１７ａ  開口縁
１７ａ１  左側開口縁
１７ａ２  右側開口縁
１７ａ３  後端開口縁
１８ａ  左側縁支板部
１８ｂ  右側縁支板部
１８ｃ  後端中間支板部
１９  保持ポケット
２０  取付板
２０ａ  前部
２０ｂ  前縁係合部
２０ｃ  取付部
２１  係合爪
２２  底面部開口縁
【図１】
0004871249.tif 000002
【図２】
0004871249.tif 000003
【図３】
0004871249.tif 000004
【図４】
0004871249.tif 000005
【図５】
0004871249.tif 000006
【図６】
0004871249.tif 000007
【図７】
0004871249.tif 000008
【図８】
0004871249.tif 000009
【図９】
0004871249.tif 000010
【図１０】
0004871249.tif 000011
【図１１】
0004871249.tif 000012
【図１２】
0004871249.tif 000013
【図１３】
0004871249.tif 000014
【図１４】
0004871249.tif 000015
【図１５】
0004871249.tif 000016
【図１６】
0004871249.tif 000017
【図１７】
0004871249.tif 000018
【図１８】
0004871249.tif 000019